(57)【要約】  複数の広告情報を自動的に提供することができ、殆ど作業の手間を生じることなく、いずれの広告情報に基づき架電されたかを把握することができて、簡単に広告情報ごとの広告効果を把握することのできる広告情報管理方法、広告情報管理システム、架電受付方法及び架電受付システムを提供すること。  この広告情報管理方法は、広告画像に基づき行われた架電が複数の広告画像９ａ〜９ｃのうちいずれの広告画像に基づき行われたかを判断するための広告情報管理システムＳにおいて用いられる広告情報管理方法であって、複数の識別情報１１ａ〜１１ｃを生成するステップと、複数の識別情報１１ａ〜１１ｃを各々指標するように生成された複数の広告画像９ａ〜９ｃのうち、１つの広告画像９ａに基づいて行われた架電中の入力情報１６と複数の識別情報１１ａ〜１１ｃとを照合するステップとを有している。
2008140000.tif 000002
【特許請求の範囲】
【請求項１】
広告情報に基づき行われた架電が複数の広告情報のうちいずれの広告情報に基づき行われたかを判断するための広告情報管理システムにおいて用いられる広告情報管理方法であって、
複数の識別情報を生成するステップと、
該複数の識別情報を各々指標するように生成された複数の広告情報のうち、１つの広告情報に基づいて行われた架電中の入力情報と前記複数の識別情報とを照合するステップと、を有する広告情報管理方法。
【請求項２】
基本広告情報に対して前記複数の識別情報を各々合成して前記複数の広告情報を生成するステップと、
該複数の広告情報を複数の第１のインターネットサイトに掲載するステップと、
前記架電を受け付けるステップと、
該架電中の前記入力情報を抽出するステップと、
該入力情報と前記識別情報とが符合した場合にその識別情報を指標する広告情報に基づき前記架電が行われたと判断するステップと、
を更に有する請求項１に記載の広告情報管理方法。
【請求項３】
基本広告情報に対して、前記複数の識別情報を指標する複数の指標情報を合成して前記複数の広告情報を生成するステップと、
該複数の広告情報を複数の第１のインターネットサイトに掲載するステップと、
前記架電を受け付けるステップと、
該架電中の前記入力情報を抽出するステップと、
該入力情報と前記識別情報とが符合した場合にその識別情報を指標する広告情報に基づき前記架電が行われたと判断するステップと、を更に有する請求項１に記載の広告情報管理方法。
【請求項４】
第２のインターネットサイトをリンクする複数の基本広告情報を複数の第１のインターネットサイトに掲載するステップと、
該第１のインターネットサイト上の前記基本広告情報が選択された場合に、該第１のインターネットサイトに関連付けて前記第２のインターネットサイトに前記広告情報を掲載するステップと、
前記架電を受け付けるステップと、
該架電中の前記入力情報を抽出するステップと、
該入力情報と前記識別情報とが符合した場合にその識別情報を指標する広告情報に基づき前記架電が行われたと判断するステップと、を更に有する請求項１に記載の広告情報管理方法。
【請求項５】
広告情報に基づき行われた架電が複数の広告情報のうちいずれの広告情報に基づき行われたかを判断するための広告情報管理システムであって、
複数の識別情報を生成する識別情報生成部と、
該複数の識別情報を各々指標するように生成された複数の広告情報のうち、１つの広告情報に基づいて行われた架電中の入力情報と前記複数の識別情報とを照合する情報照合部と、を有する広告情報管理システム。
【請求項６】
広告情報に基づき行われた架電が複数の広告情報のうちいずれの広告情報に基づき行われたかを判断する広告情報管理システムにおいて用いられる架電受付方法であって、
複数の識別情報を各々指標するように生成された複数の広告情報のうち、１つの広告情報に基づいて行われた架電を受け付けるステップと、
該架電中の入力情報を前記複数の識別情報と照合するために外部に向けて送出するステップと、を有する架電受付方法。
【請求項７】
広告情報に基づき行われた架電が複数の広告情報のうちいずれの広告情報に基づき行われたかの判断のために、該架電を受け付ける架電受付システムであって、
複数の識別情報を各々指標するように生成された複数の広告情報のうち、１つの広告情報に基づいて行われた架電を受け付ける架電受付部と、
該架電中の入力情報を前記複数の識別情報と照合するために外部に向けて送出する情報送出部と、を有する架電受付システム。
【発明の詳細な説明】
【技術分野】
【０００１】
本発明は、広告情報管理方法、広告情報管理システム、架電受付方法及び架電受付システムに係り、特にペイ・パー・コール（Ｐａｙ  Ｐｅｒ  Ｃａｌｌ）方式を利用した広告情報管理方法等に関する。
【背景技術】
【０００２】
従来より、インターネットのウェブページを利用した広告方法の一方式として、ペイ・パー・クリック（Ｐａｙ  ｐｅｒ  Ｃｌｉｃｋ）方式というものが利用されている。ペイ・パー・クリック方式とは、広告代理業者が、ウェブページ上に表示された広告情報のクリック回数に応じて広告主に対して広告料を課金する方式のことをいう。【０００３】
例えば広告提供サイトのウェブページに広告主の広告情報が掲載され、そのページを閲覧した利用者が広告情報を選択（クリック）すると、広告主が管理する自社のウェブサイトへとリンクされてその広告情報に関する詳細情報を閲覧することができるようになっている。そして、その広告情報のクリック回数に応じて広告主がポータルサイトの管理者に広告料を支払うのである。【０００４】
このような方式は、利用者（閲覧者）が多く、高い広告効果の獲得が可能なポータル（玄関）サイトにおいてよく用いられる。ポータルサイトの管理者は、そのサイトページの一部に広告掲載枠を設けてその広告掲載枠を広告主に貸与することによって広告を行い、この広告情報がクリックされた回数に応じて広告主から広告料を徴収するようになっている。【０００５】
しかし、このペイ・パー・クリック方式は、広告主が自社サイトを有していない場合には、リンク先を設定することができず広告情報に関する詳細情報を提供することもできないという問題がある。単に広告情報をクリックするのみで広告料の支払が発生するので、広告費用に対する効果として、「利用者（顧客）との直接的なコンタクト（連絡）」を得ることもできない。【０００６】
また、利用者が何げなく広告情報をクリックした場合や意図的に繰り返しクリックした場合でも、クリック回数に応じて広告料が課金されてしまうので、広告効果と広告料との関連性が低くなってしまう場合もある。【０００７】
そこで、広告提供サイトのウェブページに広告情報とともに広告主ごとに対応付けられた電話番号を掲載し、それを見た利用者が広告主に対して電話を架けた場合に、その通話の成立に基づいて広告料の課金を発生させる方式も提案されている。なお、この広告方法の一方式を、ペイ・パー・コール（Ｐａｙ  ｐｅｒ  Ｃａｌｌ）方式といい、例えば特許文献１に記載のものがある。【０００８】
【特許文献１】特開２００５−１１５９４５号公報
【発明の開示】
【発明が解決しようとする課題】
【０００９】
しかしながら、多数の広告提供サイトに広告情報を掲載する場合に、掲載するすべての電話番号を一律に同じ電話番号にしてしまうと、利用者がどの広告提供サイトを見て電話を架けてきたのかわからない。そのため、どの広告提供サイトの広告効果が高く、どの広告提供サイトの広告効果が低いのかを把握することができないという問題がある。【００１０】
そのため、広告情報ごとに異なる電話番号を割り振って異なる広告提供サイトに掲載し、いずれの電話番号に電話が架かってきたかによって利用者がいずれの広告提供サイトを見て電話を架けてきたかを把握する方法も提案されている。この方法によれば、広告提供サイトごとの広告効果を把握することができる。【００１１】
しかしながら、近年では広告提供サイトも数多く存在している。例えば、広告主が１０，０００サイトや１００，０００サイトの広告提供サイトに自社の広告情報を掲載する場合に、これら多数のサイトごとに異なる電話番号をわざわざ割り振って掲載するのは大変な作業となり、作業効率が低いという問題がある。また、例えば１つの広告提供サイトにおける掲載情報を適宜更新して、例えば時間ごと、曜日ごとの広告効果の相違を把握したい場合もある。【００１２】
本発明は上記の事情に鑑みて為されたもので、複数の広告情報を自動的に提供することができ、殆ど作業の手間を生じることなく、いずれの広告情報に基づき架電されたかを把握することができて、簡単に広告情報ごとの広告効果を把握することのできる広告情報管理方法、広告情報管理システム、架電受付方法及び架電受付システムを提供することを例示的課題とする。【００１３】
また、広告提供サイトに掲載する広告情報の内容を適宜自動的に更新することにより、例えば時間ごと、曜日ごと等の更に詳細な広告効果の相違を把握することのできる広告情報管理方法等を提供することを他の例示的課題とする。
【課題を解決するための手段】
【００１４】
上記の課題を解決するために、本発明の例示的側面としての広告情報管理方法は、広告情報に基づき行われた架電が複数の広告情報のうちいずれの広告情報に基づき行われたかを判断するための広告情報管理システムにおいて用いられる広告情報管理方法であって、複数の識別情報を生成するステップと、複数の識別情報を各々指標するように生成された複数の広告情報のうち、１つの広告情報に基づいて行われた架電中の入力情報と複数の識別情報とを照合するステップとを有する。【００１５】
広告情報を識別するために用いる複数の識別情報を自動的に生成するので、広告情報ごとにわざわざ異なる識別情報を設定する必要がない。また、架電中の入力情報と識別情報とを照合するので、両者が符合した場合にその識別情報を指標する広告情報に基づき架電が行われたと判断することができる。したがって、殆ど作業の手間を生じることなく極めて簡単に広告情報ごとの広告効果の把握を行うことができる。その広告情報がそれぞれ異なる広告媒体（例えば、別々のインターネットサイト等。）に掲載された場合には、簡単にインターネットサイトごとの広告効果を把握することができる。【００１６】
ここで、広告情報は、例えば広告提供サイト等のインターネットサイトに掲載される広告画像（いわゆるバナー広告。）を含む。また、識別情報や入力情報は、例えば電話番号やその一部であってもよく、電話番号に引き続いて利用者が電話器に入力する識別番号であってもよい。その広告画像は、静止画像のみならず動画像も含む。例えば、ａｖｉ形式、ｍｐｅｇ２形式、ｍｐｅｇ４形式の動画データやｇｉｆ形式、ｆｌａｓｈ形式等のアニメーションデータにより構成された画像を広告情報として適用することができる。もちろん、画像のみならず、ｗａｖ形式、ＷＭＡ形式、ＭＰ３形式等の音声データを広告情報として適用することも可能である。【００１７】
「広告情報が識別情報を指標する」とは、広告画像内に明示的に識別情報が表示されている場合のみならず、通常は広告画像に識別情報が明示されておらずに表示画面上でマウスポインタを広告画像上に配置した場合に識別情報が別ウィンドウ表示又はバルーン表示等される場合を含む。広告画像をクリックした場合に識別情報が表示されるようになっている場合も含む。音声データとしての広告情報内に音声データとしての識別情報が含まれている場合や、広告画像上にマウスポインタを置いた場合に、広告画像に関連付けられた音声データが識別情報として再生されるようになっていてもよい。【００１８】
識別情報が、明示的に表示されている場合であっても、その識別情報が文字、数字等で表示される場合のほか、バーコード、２次元バーコード等のコード情報を用いて識別情報が表示されてもよい。例えば、識別情報としての電話番号情報をＱＲコード（２次元バーコードの一種）内に含ませてそのＱＲコードを広告画像内に表示すれば、ＱＲコード読取機能及びｐｈｏｎｅ−ｔｏ機能（表示された電話番号に宛てて、ワンクリック等の簡単な操作で電話を架けることができる機能。）を備えた携帯電話機でその電話番号に宛てて簡単に電話を架けることができる。【００１９】
広告情報管理方法が、基本広告情報に対して複数の識別情報を各々合成して複数の広告情報を生成するステップと、複数の広告情報を複数の第１のインターネットサイトに掲載するステップと、架電を受け付けるステップと、架電中の入力情報を抽出するステップと、入力情報と識別情報とが符合した場合にその識別情報を指標する広告情報に基づき架電が行われたと判断するステップとを更に有してもよい。【００２０】
基本広告情報に対して複数の識別情報を各々合成して複数の広告情報を自動的に生成するので、殆ど手間を生じることなく基本広告情報と識別情報とが合成された複数の広告情報を生成することができる。例えば、利用者の注目を集めるための派手な広告画像を基本広告情報とすれば、派手な広告画像と各々異なる識別情報とが合成されて一体となった多数の広告情報を簡単に生成することができる。注目を集め易くかつ各々の広告効果の把握が容易な多数の広告情報を一括して簡単に生成することができる。【００２１】
その広告情報を複数の第１のインターネットサイト（例えば、広告提供サイト。）に自動的に掲載するので、殆ど手間を発生させることなく複数の第１のインターネットサイトに各々異なる識別番号を指標する広告情報を掲載することができる。したがって、広告情報を掲載した第１のインターネットサイトごとの広告効果の管理が一層容易となる。【００２２】
広告情報に基づき行われた架電を受け付けて、その架電中の入力情報を抽出するので、入力情報と識別情報との照合を容易に行うことができる。その結果、架電がいずれの広告情報に基づき行われたのかを容易に把握することができ、広告情報を掲載した第１のインターネットサイトごとの広告効果を容易に把握することができる。【００２３】
この構成を用いれば、利用者が第１のインターネットサイトにアクセスするとそこに識別情報を含む広告情報が表示される。そして、その識別情報に基づき架電を行うとその架電が受け付けられ、利用者が架電に際して入力した入力情報に基づき複数の第１のインターネットサイトのうちいずれに掲載された広告情報に基づいて架電が行われたかが把握される。したがって、利用者は第１のインターネットサイトを閲覧すれば識別情報（例えば、広告主及び広告情報ごとに割り振られた電話番号。）を容易に把握することができ、架電に際してその識別情報を入力情報として入力するだけで、自動的にその架電がどの広告情報に基づくものであるかを無意識に通知することができる。結果として、広告情報ごとの広告効果の把握に寄与することとなる。【００２４】
基本広告情報に対して、複数の識別情報を指標する複数の指標情報を合成して複数の広告情報を生成するステップと、複数の広告情報を複数の第１のインターネットサイトに掲載するステップと、架電を受け付けるステップと、架電中の入力情報を抽出するステップと、入力情報と識別情報とが符合した場合にその識別情報を指標する広告情報に基づき架電が行われたと判断するステップとを更に有してもよい。【００２５】
基本広告情報に対して複数の識別情報を指標する複数の指標情報を合成して複数の広告情報を自動的に生成するので、殆ど手間を生じることなく基本広告情報と指標情報とが合成された広告情報を生成することができる。そして、その指標情報により各々の識別情報を指標することができる。例えば、利用者の注目を集めるための派手な広告画像を基本広告情報とすれば、派手な広告画像と各々異なる識別情報を指標する指標情報とが合成されて一体となった多数の広告情報を簡単に生成することができる。注目を集め易くかつ第１のインターネットサイトごとの広告効果の管理が容易な広告情報を一括して簡単に生成することができる。【００２６】
ここで指標情報は、例えば各々異なる識別情報を指標するためのプログラム（サブプログラム、マクロプログラム、スクリプト等。）や引数等であってもよい。そして、その指標情報によって識別情報が外部から取得されるように構成されていてもよい。異なる識別情報ごとに異なる指標情報が割り当てられていてもよいし、同一の指標情報が他の条件（例えばアクセス時間、アクセス回数等。）に応じて異なる識別情報を指標するものであってもよい。【００２７】
その広告情報を複数の第１のインターネットサイトに自動的に掲載するので、殆ど手間を発生させることなく複数の第１のインターネットサイトに各々異なる識別番号を指標する広告情報を掲載することができる。したがって、広告情報を掲載した第１のインターネットサイトごとの広告効果の管理が一層容易となる。【００２８】
広告情報に基づき行われた架電を受け付けて、その架電中の入力情報を抽出するので、入力情報と識別情報との照合を容易に行うことができる。その結果、架電がいずれの広告情報に基づき行われたのかを容易に把握することができ、広告情報を掲載した第１のインターネットサイトごとの広告効果を容易に把握することができる。【００２９】
この構成を用いれば、利用者が第１のインターネットサイトにアクセスするとそこに指標情報を含む広告情報が表示される。その指標情報は識別情報を指標しているので、結果として第１のインターネットサイトには識別情報が表示される。その識別情報に基づき架電を行うとその架電が受け付けられ、利用者が架電に際して入力した入力情報に基づき複数の第１のインターネットサイトのうちいずれに掲載された広告情報に基づいて架電が行われたかが把握される。したがって、利用者は第１のインターネットサイトを閲覧すれば識別情報（例えば、広告主及び広告情報ごとに割り振られた電話番号。）を容易に把握することができ、架電に際してその識別情報を入力情報として入力するだけで、自動的にその架電がどの広告情報に基づくものであるかを無意識に通知することができる。結果として、広告情報ごとの広告効果の把握に寄与することとなる。【００３０】
第２のインターネットサイトをリンクする複数の基本広告情報を複数の第１のインターネットサイトに掲載するステップと、第１のインターネットサイト上の基本広告情報が選択された場合に、第１のインターネットサイトに関連付けて第２のインターネットサイトに広告情報を掲載するステップと、架電を受け付けるステップと、架電中の入力情報を抽出するステップと、入力情報と識別情報とが符合した場合にその識別情報を指標する広告情報に基づき架電が行われたと判断するステップとを更に有してもよい。【００３１】
第１のインターネットサイトにわざわざ識別情報や識別情報を指標する指標情報を掲載する必要がなく基本広告情報を掲載するだけでよいので、基本広告情報を掲載するための手間を削減することができる。第１のインターネットサイトには、例えば、利用者の注目を集めるための派手な広告画像のみを基本広告情報として掲載すればよい。【００３２】
その基本広告情報が第２のインターネットサイト（例えば、広告主の自社サイト。）をリンクしているので、利用者が基本広告情報を選択すると、第２のインターネットサイトが表示される。その第２のインターネットサイトに識別情報を指標する広告情報が掲載されるので、利用者はその識別情報に基づき架電を行うことができる。識別情報が第１のインターネットサイトに関連付けられているので、複数の第１のインターネットサイトごとに異なる識別情報とすることができる。したがって、識別情報に基づいて、複数の第１のインターネットサイトのうちいずれに掲載された広告情報が選択されたかを把握することができ、広告情報を掲載した第１のインターネットサイトごとの広告効果を容易に把握することができる。【００３３】
本発明の他の例示的側面としての広告情報管理システムは、広告情報に基づき行われた架電が複数の広告情報のうちいずれの広告情報に基づき行われたかを判断するための広告情報管理システムであって、複数の識別情報を生成する識別情報生成部と、複数の識別情報を各々指標するように生成された複数の広告情報のうち、１つの広告情報に基づいて行われた架電中の入力情報と複数の識別情報とを照合する情報照合部とを有する。【００３４】
識別情報生成部が、広告情報を識別するために用いる複数の識別情報を自動的に生成し、情報照合部が、架電中の入力情報と識別情報とを照合するので、入力情報と識別情報とが符合した場合にその識別情報を指標する広告情報に基づき架電が行われたと判断することができる。したがって、殆ど作業の手間を生じることなく極めて簡単に広告情報ごとの広告効果の把握を行うことができる。その広告情報がそれぞれ異なる広告媒体（例えば、別々のインターネットサイト等。）に掲載された場合には、簡単にインターネットサイトごとの広告効果を把握することができる。【００３５】
本発明の更に他の例示的側面としての架電受付方法は、広告情報に基づき行われた架電が複数の広告情報のうちいずれの広告情報に基づき行われたかを判断する広告情報管理システムにおいて用いられる架電受付方法であって、複数の識別情報を各々指標するように生成された複数の広告情報のうち、１つの広告情報に基づいて行われた架電を受け付けるステップと、架電中の入力情報を複数の識別情報と照合するために外部に向けて送出するステップとを有する。【００３６】
広告情報に基づいて行われた架電を受け付け、その受け付けた架電中の入力情報を複数の識別情報と照合するために送出するので、その送出先において入力情報と識別情報との照合を容易に行うことができる。その照合結果に基づいて、架電がいずれの広告情報に基づき行われたかを判断することができるので、結果的に、広告情報ごとの広告効果の把握を容易に行うことができる。【００３７】
本発明の更に他の例示的側面としての架電受付システムは、広告情報に基づき行われた架電が複数の広告情報のうちいずれの広告情報に基づき行われたかの判断のために、架電を受け付ける架電受付システムであって、複数の識別情報を各々指標するように生成された複数の広告情報のうち、１つの広告情報に基づいて行われた架電を受け付ける架電受付部と、架電中の入力情報を複数の識別情報と照合するために外部に向けて送出する情報送出部とを有する。【００３８】
架電受付部が広告情報に基づいて行われた架電を受け付け、その受け付けた架電中の入力情報を複数の識別情報と照合するために情報送出部が送出するので、その送出先において入力情報と識別情報との照合を容易に行うことができる。その照合結果に基づいて、架電がいずれの広告情報に基づき行われたかを判断することができるので、結果的に、広告情報ごとの広告効果の把握を容易に行うことができる。【００３９】
本発明の更なる目的又はその他の特徴は、以下添付図面を参照して説明される好ましい実施の形態によって明らかにされるであろう。
【発明の効果】
【００４０】
本発明によれば、複数の広告情報を自動的に提供することができ、殆ど作業の手間を生じることなく、いずれの広告情報に基づき架電が行われたかを把握することができて、簡単に広告情報ごとの広告効果を把握することができる。その複数の広告情報を複数の第１のインターネットサイトに掲載することにより、いずれの第１のインターネットサイトが高い広告効果を発揮しているかを容易に把握することができる。【００４１】
また、第１のインターネットサイトに掲載する広告情報の内容を適宜自動的に更新することにより、例えば時間ごと、曜日ごと等の更に詳細な広告効果の相違を把握することができる。
【発明を実施するための形態】
【００４２】
［実施の形態１］
以下、本発明の実施の形態１に係る広告情報管理方法を用いた広告情報管理システムＳについて図面を用いて説明する。なお、本明細書において、サーバはサーバコンピュータを意味し、サイト（ウェブサイト、インターネットサイトも略同義。）は、サーバ内に仮想的に構築されるウェブページの集合体を意味する。ウェブページとは、ＵＲＬによって特定することができ、文字情報や画像情報等の種々の情報が掲載される仮想的な情報提供媒体である。ここにおいて、「ウェブサイトに掲載」することを「ウェブページに掲載」することと同義に用い、「ウェブサイトを閲覧」することを「ウェブページを閲覧」することと同義に用いる。
【００４３】
図１は、この広告情報管理システムＳの全体構成を示す概略構成図である。この広告情報管理システムＳは、広告情報管理サーバ１、架電受付サーバ（架電受付システム）２を有して大略構成され、その広告情報管理サーバ１は、インターネットＷを介して広告主サーバ３、事業者サーバ４、広告提供サーバ５ａ〜５ｃ、利用者コンピュータ６と情報送受信可能に接続されている。広告主と利用者とは各々広告主電話器７、利用者電話器８を有しており、それらは電話回線網Ｔを介して架電受付サーバ２に接続されている。
【００４４】
広告主サーバ３は、広告主Ａが管理するサーバコンピュータであり、内部に第２のインターネットサイトとしての広告主のウェブサイト（広告主サイト）３ａが構築されている。この広告主サイト３ａは、後述する広告画像（広告情報）９ａ〜９ｃにリンクされており、利用者Ｕが広告画像９ａ〜９ｃをクリックすることによって利用者コンピュータ６に広告主サイト３ａの内容（広告情報の詳細情報。）が表示されるようになっている。また、広告主Ａは広告主サーバ３を介して事業者サーバ４に向けてバナー画像（基本広告情報）１０を送出することができるようになっている。
【００４５】
このバナー画像１０は、例えば利用者の注意を惹き付けるように種々の色彩や模様が付加された装飾的広告画像であったり、広告主Ａの広告内容を簡単に説明する説明的広告画像である。バナー画像は、一般的に静止画像である場合が多く、本実施の形態１においても静止画像であることを前提として説明するが、もちろん上述した各種ファイル形式により構成された動画像であってもよい。
【００４６】
事業者サーバ４は、広告事業者が管理するサーバコンピュータであり、インターネットＷを介して複数の広告提供サーバ５ａ〜５ｃに接続され、これらの広告提供サーバ５ａ〜５ｃを統括管理するためのものである。事業者サーバ４は、広告主サーバ３からバナー画像１０を受け取る機能を有している。そして、そのバナー画像１０を広告情報管理サーバ１に向けて送出し、複数の識別情報１１ａ〜１１ｃと合成された複数の広告画像９ａ〜９ｃを広告情報管理サーバ１から受け取る。更に、その複数の広告画像９ａ〜９ｃを、それぞれ複数の広告提供サーバ５ａ〜５ｃに向けて送出する機能も有する。
【００４７】
事業者サーバ４は内部に図示しない記憶装置を有している。その記憶装置内には、図２に示すように広告提供サーバ管理データベース４ａが構築されている。この広告提供サーバ管理データベース４ａには、広告提供サーバ５ａ〜５ｃごとの割当て番号１４ａ〜１４ｃと各広告提供サーバ５ａ〜５ｃに向けて送出された広告画像９ａ〜９ｃ内の識別情報１１ａ〜１１ｃとが相互に関連付けられて保持されている。
【００４８】
広告提供サーバ５ａ〜５ｃは、それぞれ広告提供者が管理するサーバコンピュータであり、各々内部に第１のインターネットサイトとしての広告提供サイト１２ａ〜１２ｃが構築されている。図３は、広告提供サイト１２ａのウェブページの表示画面例である。
【００４９】
この広告提供サイト１２ａはいわゆるポータルサイトと呼ばれるもので、ページ内に様々な情報が掲載されている。ページ内には広告掲載枠１３ａが配置され、広告掲載枠１３ａ内には事業者サーバ４から受け取った広告画像９ａが掲載されている。
【００５０】
広告画像９ａは、バナー画像１０と識別情報１１ａとが合成されて構成されており、利用者Ｕの注意を惹き付けつつ利用者Ｕに対して識別情報１１ａを提供する機能を有している。その識別情報１１ａは、例えば前半７桁のサーバ識別番号と後半１０桁の広告識別番号とを有する合計１７桁の電話番号情報「０１２５４２３−００１１００２５５３」である。利用者Ｕは、この識別情報１１ａに基づいて架電を行うことにより、この広告画像９ａの広告主Ａと電話連絡（通話）を行うことができるようになっている。
【００５１】
広告提供サイト１２ａにおける識別情報１１ａの提供方法としては、いくつかの方法が適用可能である。例えば、図３に示すように、バナー画像１０とともに識別情報１１ａを広告提供サイト１２ａ上に掲載して表示する方法もある。例えば、図４（ａ）に示すように、通常状態、すなわちバナー画像１０上にマウスポインタＭがない場合にはバナー画像１０のみが表示されて識別情報１１ａが表示されず、図４（ｂ）に示すように、バナー画像１０上にマウスポインタＭを移動させた場合に識別情報１１ａがバルーン表示される方法もある。例えば、図５（ａ）に示すように、通常状態、すなわちバナー画像１０上をマウスでクリックする前はバナー画像１０のみが表示されて識別情報１１ａが表示されず、図５（ｂ）に示すように、バナー画像１０をマウスでクリックすると別ウィンドウが表示されてそのウィンドウ内に識別情報１１ａが表示される方法もある。
【００５２】
また、後述する識別情報生成部が、識別情報１１ａを生成するとともにその識別情報１１ａに対応するＱＲコード１７ａを生成する機能を有している場合は、図６に示すように、バナー画像１０内にＱＲコード１７ａを表示する方法も適用することができる。例えば、利用者Ｕが携帯電話機を所持しており、この携帯電話機がＱＲコード読取機能、ｐｈｏｎｅ−ｔｏ機能を有している場合には、このような識別情報１１ａの提供方法が利用者Ｕにとって便利となる。
【００５３】
利用者Ｕが利用者コンピュータ６により広告提供サイト１２ａに接続して、表示画面にバナー画像１０が表示されると、利用者Ｕは携帯電話機のＱＲコード読取機能を用いてバナー画像１０内のＱＲコード１７ａを読み取る。すると、携帯電話機の表示画面上にＱＲコード１７ａに対応する識別情報１１ａとしての電話番号が表示される。利用者Ｕがその電話番号をクリックすると、ｐｈｏｎｅ−ｔｏ機能により、簡単にその電話番号宛に電話を架けることができるのである。
【００５４】
広告提供サイト１２ｂ，１２ｃにも同様に広告画像９ｂ，９ｃが掲載される。その広告画像９ｂ，９ｃ中のバナー画像１０は広告画像９ａのものと共通であるが、識別情報１１ｂ，１１ｃは各々の番号が異なっている。すなわち、識別情報１１ｂは、「０１２５４２３−００１１００２５５４」であり、識別情報１１ｃは、「０１２５４２３−００１１００２５５５」である。したがって、利用者Ｕがどの番号に電話を架けたかを把握すれば、どの広告画像９ａ〜９ｃの広告効果があったかを把握することができるようになっている。
【００５５】
もちろん、識別情報１１ａ〜１１ｃは１７桁の電話番号情報に限られず、２〜４桁程度の電話番号の一部の情報であってもよいし、電話を架けた後に利用者Ｕが応答先のサーバに向けて入力するための数桁の入力番号であってもよい。また、応答先のサーバが音声認識機能を有している場合には、識別情報１１ａ〜１１ｃは、利用者Ｕが架電中に発声するためのキーワードであってもよい。広告提供サイト１２ｂ，１２ｃのその他の構成については広告提供サイト１２ａと同様であるので説明を省略する。
【００５６】
なお、本実施の形態１においては、事業者サーバ４を広告事業者が管理し広告提供サーバ５ａ〜５ｃを広告提供者が管理するものとして各々別々のサーバとして説明したが、もちろんこれらは必ずしも各々別々である必要はない。例えば１つの広告事業者が複数の広告提供サーバ５ａ〜５ｃを管理し、事業者サーバ４を廃して各広告提供サーバ５ａ〜５ｃがそれぞれ事業者サーバとしての機能を併せ持っていてもよい。
【００５７】
利用者コンピュータ６は、広告提供サイト１２ａ〜１２ｃを閲覧する利用者Ｕが管理、使用するコンピュータである。利用者Ｕが利用者コンピュータ６によりインターネットＷを介して広告提供サイト１２ａを閲覧すると、広告提供サイト１２ａ内の様々な情報と共に広告画像９ａが利用者コンピュータ６の表示画面に表示されるようになっている。
【００５８】
そして、利用者Ｕが広告画像９ａに興味を持ち、表示された「０１２５４２３−００１１００２５５３」の番号に自宅の利用者電話器８から架電を行うと、架電受付サーバ２によって受け付けられ、広告主Ａと通話を行うことができるようになっている。
【００５９】
広告情報管理サーバ１は、この広告情報管理システムＳの主要部を構成するサーバコンピュータであり、インターネットＷを介して事業者サーバ４に接続されている。この広告情報管理サーバ１は、内部に図示しない演算処理装置（ＣＰＵ）を有しており、そのＣＰＵが、識別情報生成部及び情報照合部として機能する。
【００６０】
識別情報生成部は、複数の識別情報１１ａ〜１１ｃを生成する機能を有する。この識別情報１１ａ〜１１ｃは互いに異なる情報であり、本実施の形態１においては、前述したように１７桁の電話番号情報である。識別情報生成部は、生成した識別情報１１ａ〜１１ｃを事業者サーバ４に向けて送出する機能も有している。
【００６１】
広告情報管理サーバ１内部には、図示しない記憶装置が備えられている。その記憶装置内には、図７に示すように識別情報データベース１ａが構築されている。この識別情報データベース１ａ内には生成した識別情報１１ａ〜１１ｃが保持され、各識別情報１１ａ〜１１ｃに対応して情報記録部１５ａ〜１５ｃが設けられている。広告情報管理サーバ１は、事業者サーバ４からバナー画像１０を受け取ると、そのバナー画像１０に対して複数の識別情報１１ａ〜１１ｃを各々合成して複数の広告画像９ａ〜９ｃを生成し、その広告画像９ａ〜９ｃを事業者サーバ４に向けて送出する機能を有する。なお、もちろんこのバナー画像１０と識別情報１１ａ〜１１ｃとの合成は広告情報管理サーバ１内でなく事業者サーバ４内で行われるようになっていてもよい。
【００６２】
一方、広告情報管理サーバ１は、架電受付サーバ２とも接続されている。本実施の形態１においては、広告情報管理サーバ１は架電受付サーバ２と直接接続されているが、もちろんインターネットＷを介して接続されていてもよい。利用者Ｕが架けた１７桁の電話番号情報を入力情報１６として架電受付サーバ２から受け取ると、情報照合部はその入力情報１６と識別情報データベース１ａ内の識別情報１１ａ〜１１ｃとの照合を実行する。そして、入力情報１６と識別情報１１ａとが符合すると、すなわち利用者Ｕにより利用者電話器８に入力された入力情報１６と識別情報１１ａとが一致すると、その識別情報１１ａに対応する情報記録部１５ａに架電日時、架電元（すなわち、利用者電話器８。）の電話番号（発信元電話番号）、通話時間等の履歴情報が記録されるようになっている。
【００６３】
この識別情報データベース１ａの履歴情報により、どの識別情報１１ａ〜１１ｃに基づきいつ・誰から・何度架電があったかを把握することができるようになっている。すなわち、広告画像９ａ〜９ｃごとの広告効果の高低を把握することができる。
【００６４】
この履歴情報を事業者サーバ４に向けて送出し、事業者サーバ４内の広告提供サーバ管理データベース４ａと照合することにより、広告提供サイト１２ａ〜１２ｃごとの広告効果の高低をも把握することができる。
【００６５】
架電受付サーバ２は、利用者Ｕの利用者電話器８からの架電を受け付けるためのサーバコンピュータであり、広告情報管理サーバ１及び電話回線網Ｔに接続されている。この電話回線網Ｔには、利用者電話器８及び広告主Ａの広告主電話器７も接続されており、利用者Ｕから架電受付サーバ２を介して広告主Ａへと電話を架けることができるようになっている。
【００６６】
架電受付サーバ２は、内部に図示しない演算処理装置（ＣＰＵ）を有しており、そのＣＰＵが、架電受付部、入力情報抽出部及び情報送出部として機能する。
【００６７】
架電受付部は、利用者電話器８から行われた架電を受け付け、その架電を中継して広告主電話器７へと転送する機能を有する。
【００６８】
具体的には、利用者Ｕが利用者電話器８に１７桁の電話番号情報「０１２５４２３−００１１００２５５３」を入力すると、その前半７桁のサーバ識別番号に基づき架電受付サーバ２宛に架電が行われる。架電受付部は、着信することなく後半１０桁の広告識別番号に基づいて広告主Ａ宛の架電であることを認識し、広告主電話器７へと架電を転送する。架電受付部が着信しないので、電話を架けた利用者Ｕにとっては架電受付サーバ２の中継を意識することなく、あたかも直接広告主Ａに電話を架けたかのようにスムーズに通話を行うことができる。このとき、架電受付部は、利用者Ｕが入力した電話番号情報「０１２５４２３−００１１００２５５３」を取得する。
【００６９】
入力情報抽出部は、架電受付部から電話番号情報を受け取ると、その電話番号情報を入力情報１６として抽出する機能を有する。本実施の形態１においては、利用者Ｕが利用者電話器８に入力する電話番号情報の１７桁すべてが入力情報１６として抽出されるが、もちろん電話番号情報の一部が入力情報１６として抽出されてもよいし、利用者Ｕがキーワード等の情報に基づき発声した音声情報が入力情報１６として抽出されてもよい。
【００７０】
例えば、利用者Ｕが前半７桁のサーバ識別番号を入力して架電を行うと架電受付サーバ２が着信し、その自動応答中に後半１０桁の広告識別番号を入力すれば、その広告識別番号に基づき広告主電話器７に架電が転送され、後半１０桁の広告識別番号が入力情報１６として入力情報抽出部によって抽出されるようになっていてもよい。
【００７１】
また、架電受付サーバ２が音声認識機能を有している場合において、その自動応答中に利用者Ｕが入力情報１６としてのキーワードを発声することにより、その音声情報が入力情報抽出部によって入力情報１６として抽出されるようになっていてもよい。例えば「ディスカウント」等のキーワードを利用者Ｕが発声すると、その利用者Ｕに対して広告主Ａから何らかの特典が付与されるように構成することも可能である。この場合においては、広告提供サイト１２ａ〜１２ｃに掲載する広告画像９ａ〜９ｃ内の識別情報１１ａ〜１１ｃが、「ディスカウント」等のキーワードに設定されている必要がある。
【００７２】
なお、本実施の形態１においては、識別情報としての電話番号情報が「０１２５４２３−００１１００２５５３」の場合も「０１２５４２３−００１１００２５５４」の場合も「０１２５４２３−００１１００２５５５」の場合も広告主Ａに架電が転送されるようになっている。そして、電話番号情報の番号、具体的には下１桁の番号の相違により、利用者Ｕがいずれの広告画像９ａ〜９ｃに基づき架電を行ったかが把握できるようになっている。
【００７３】
情報送出部は、入力情報抽出部により抽出された入力情報１６を広告情報管理サーバ１に向けて送出する機能を有している。その入力情報１６は、送出先の広告情報管理サーバ１内における情報照合部によって、識別情報データベース１ａ内の識別情報１１ａ〜１１ｃと照合されるようになっている。
【００７４】
なお、本実施の形態１においては、架電受付サーバ２が架電中の入力情報を抽出し広告情報管理サーバ１に向けて入力情報を送出するように構成した例について説明しているが、もちろん、広告情報管理サーバ１が入力情報抽出部を有して、架電受付サーバ２から架電情報を受け取るとその情報の中から入力情報を抽出するように構成されていてもよい。
【００７５】
また、本実施の形態１においては、広告情報管理サーバ１と架電受付サーバ２とを各々別体として構成した例について説明しているが、もちろん１つのサーバコンピュータによってこれら両者の機能が実現されるように構成されていてもよい。更に、１つのサーバコンピュータが、広告情報管理サーバ１、架電受付サーバ２に加え、事業者サーバ４としての機能をも併せ持っていてもよい。
【００７６】
次に、この実施の形態１に係る広告情報管理方法を用いた広告情報管理システムＳの動作について図８に示すフローチャートを用いて説明する。
【００７７】
広告主Ａからの広告掲載の依頼に基づいて、広告主サーバ３がバナー画像１０を事業者サーバ４に向けて送出する（Ｓ．１）。事業者サーバ４は、受け取ったバナー画像１０を広告情報管理サーバ１に向けて送出する（Ｓ．２）。広告情報管理サーバ１は、複数の識別情報１１ａ〜１１ｃを生成し（Ｓ．３）、識別情報データベース１ａを構築して識別情報１１ａ〜１１ｃを内部に保持する（Ｓ．４）。そして、受け取ったバナー画像１０に対してその識別情報１１ａ〜１１ｃを合成して複数の広告画像９ａ〜９ｃを生成し（Ｓ．５）、その広告画像９ａ〜９ｃを事業者サーバ４に向けて送出する（Ｓ．６）。
【００７８】
事業者サーバ４は、広告画像９ａ〜９ｃを受け取ると、その広告画像９ａ〜９ｃを各々広告提供サーバ５ａ〜５ｃに向けて送出し（Ｓ．７）、広告画像９ａ〜９ｃと送出先の広告提供サーバごとの固有の割当て番号１４ａ〜１４ｃとを関連付けて広告提供サーバ管理データベース４ａを構築する（Ｓ．８）。
【００７９】
広告提供サーバ５ａ〜５ｃは、受け取った広告画像９ａ〜９ｃを各々広告提供サイト１２ａ〜１２ｃ上に掲載する（Ｓ．９）。
【００８０】
利用者Ｕが利用者コンピュータ６を用いて広告提供サーバ５ａにアクセスし、広告提供サイト１２ａを閲覧する。そして広告提供サイト１２ａに掲載されている広告画像９ａに興味を惹かれた場合、利用者Ｕは、広告画像９ａ内の識別情報１１ａを電話番号として利用者電話器８に入力して架電を行う（Ｓ．１０）。
【００８１】
識別情報１１ａの前半７桁のサーバ識別番号に基づき、架電が架電受付サーバ２へと接続され、架電受付サーバ２が架電を受け付ける（Ｓ．１１）。そして、架電受付サーバ２が識別情報１１ａの後半１０桁の広告識別番号に基づき架電を広告主電話器７へと転送する（Ｓ．１２）。利用者電話器８と広告主電話器７とが相互に接続され利用者Ｕと広告主Ａとが通話することができる。
【００８２】
それとともに、架電受付サーバ２は、利用者電話器８に入力された電話番号を取得し、その電話番号の中から入力情報１６を抽出する（Ｓ．１３）。本実施の形態１においては、入力された電話番号すべてが入力情報１６として抽出される。そして、その入力情報１６を広告情報管理サーバ１に向けて送出する（Ｓ．１４）。
【００８３】
広告情報管理サーバ１は、受け取った入力情報１６と識別情報データベース１ａ内の識別情報１１ａ〜１１ｃとを照合し（Ｓ．１５）、入力情報１６と符合した識別情報１１ａの情報記録部１５ａに架電日時、発信元電話番号、通話時間等の履歴情報を記録する（Ｓ．１６）。
【００８４】
［実施の形態２］
図９は、本発明の実施の形態２に係る広告情報管理方法を用いた広告情報管理システムＳ’の全体構成を示す概略構成図である。なお、本実施の形態２において、実施の形態１と同様の構成については同様の符号を付してその説明を省略する。
【００８５】
この実施の形態２においては、事業者サーバ４において、広告主サーバ３から送出されたバナー画像１０に対してＦｌａｓｈ等のスクリプト（指標情報）２１を合成して広告情報９’として各広告提供サーバ５ａ〜５ｃに向けて送出している。
【００８６】
このスクリプト２１は、識別情報１１ａ〜１１ｃを間接的に指標するための記述プログラムである。すなわち、スクリプト２１自体は各識別情報１１ａ〜１１ｃを直接表すものではないが、各識別情報１１ａ〜１１ｃとの関連付けを表すための記述プログラムである。
【００８７】
例えば、利用者Ｕが利用者コンピュータ６を用いて広告提供サーバ５ｃにアクセスし、広告提供サイト１２ｃを閲覧すると、利用者コンピュータ６に向けてこの広告提供サイト１２ｃ内の掲載情報が送信されてその内容が表示される。このとき、広告提供サイト１２ｃ上の広告情報９’内のスクリプト２１が実行され、広告情報管理サーバ１内から識別情報１１ｃが取得されてその内容が利用者コンピュータ６に表示される。
【００８８】
スクリプト２１が実行される際には、そのスクリプト２１を含む広告情報９’が掲載されている広告提供サイト１２ａ〜１２ｃの割当て番号１４ａ〜１４ｃも広告情報管理サーバ１に向けて送出されるようになっている。したがって、広告情報管理サーバ１は、広告提供サイト１２ａ〜１２ｃごとに異なる識別情報１１ａ〜１１ｃを生成して送出することができる。
【００８９】
したがって、各広告提供サイト１２ａ〜１２ｃに掲載される各広告情報９’は、すべて同じバナー画像１０とスクリプト２１との合成情報であるが、利用者コンピュータ６に表示される広告情報９’は各々異なる識別情報１１ａ〜１１ｃとなる。
【００９０】
なお、識別情報１１ａ〜１１ｃは、予め広告情報管理サーバ１において生成されて保持されていてもよいし、スクリプト２１が実行されるたびに広告情報管理サーバ１で生成されるようになっていてもよい。また、例えば広告情報提供サーバ１がスクリプト２１の実行時刻（すなわち、利用者Ｕが広告提供サーバにアクセスして広告提供サイトを閲覧した時刻。）を取得するようにすれば、同一の広告提供サイト１２ａに表示される識別情報をスクリプト２１の実行時刻に応じて変更させることも可能である。それにより、広告提供サイト１２ａの時刻ごとの広告効果を統計的に把握することも可能となる。
【００９１】
この実施の形態２によれば、予め広告提供サイトごとに識別情報を割り当てる必要がないので、広告提供サイト数に応じて予め多数の識別情報を確保しておく必要もなく、広告提供サイト数の増減にも柔軟に対応することができる。
【００９２】
［実施の形態３］
図１０は、本発明の実施の形態３に係る広告情報管理方法を用いた広告情報管理システムＳ’’の全体構成を示す概略構成図である。なお、本実施の形態３において、実施の形態１と同様の構成については同様の符号を付してその説明を省略する。
【００９３】
この実施の形態３においては、各広告提供サイト１２ａ〜１２ｃには識別情報１１ａ〜１１ｃが表示されず、事業者サーバ４から送出されたバナー画像１０のみが掲載されるようになっている。そのバナー画像１０には、各々広告主サーバ３へのリンク処理が行われており、利用者Ｕがマウスでバナー画像１０をクリックすると、利用者コンピュータ６の表示画面に広告主サイト３ａが表示されるようになっている。
【００９４】
その際、例えば、広告提供サイト１２ａに掲載されているバナー画像１０がクリックされたときには、その広告提供サーバ５ａの割当て番号１４ａがリンク先の広告主サーバ３へと送出されるようになっている。
【００９５】
広告主サイト３ａにはスクリプト２１’が埋め込まれており、このスクリプト２１’は利用者コンピュータ６からのアクセスによって実行され、リンク元の広告提供サーバ５ａの割当て番号１４ａを広告情報管理サーバ１に向けて送出する。
【００９６】
広告情報管理サーバ１は、スクリプト２１’の実行に基づいて、広告提供サーバ５ａの割当て番号１４ａに対応する識別情報１１ａを生成し、広告主サーバ３に向けて送出する。広告主サーバ３は、広告情報管理サーバ１から識別情報１１ａを取得すると、広告主サイト３ａ上にその識別情報１１ａを表示する。
【００９７】
広告主サイト３ａ内に埋め込まれたスクリプト２１’は、リンク元の広告提供サイト１２ａ〜１２ｃに応じて各々異なる識別情報１１ａ〜１１ｃを表示することができるようになっている。したがって、利用者Ｕがどの広告提供サイト１２ａ〜１２ｃを見て架電を行ったかを容易に把握することができるようになっている。
【００９８】
以上、本発明の好ましい実施の形態を説明したが、本発明はこれらに限定されるものではなく、その要旨の範囲内で様々な変形や変更が可能である。
【００９９】
例えば、実施の形態１，２において、広告主サイト３ａが広告画像９ａ〜９ｃにリンクされ、広告画像９ａ〜９ｃをクリックすることにより広告主サイト３ａの内容が利用者コンピュータ６に表示される構成について説明しているが、この広告主サイト３ａは必須の要件ではない。すなわち、実施の形態１，２において、広告画像９ａ〜９ｃのリンク先が広告主サイト３ａでなく他のサイト（広告主Ａでない他の者が管理するサイト。）であってもよいし、広告画像９ａ〜９ｃがいずれのサイトをリンクしなくても本発明の趣旨を逸脱することはない。
【０１００】
もちろんこの場合においては、広告主サイト３ａからバナー画像１０が事業者サーバ４に向けて送出するのでなく、上記他のサイトから事業者サーバ４に向けてバナー画像１０が送出されてもよいし、事業者サーバ４内でバナー画像１０が生成されるようになっていてもよい。
【０１０１】
また、上記実施の形態１〜３においては、インターネットＷに接続する利用者コンピュータ６と、架電を行う利用者電話器８とが別々の構成である場合について説明している。しかしながら、例えばインターネット接続機能と通話機能とを備えた携帯電話機やインターネット電話機能（いわゆるＩＰフォン機能。）により通話機能をも備えたコンピュータを用いる場合には、１つのハードウェア（携帯電話機又はＩＰフォン機能付きコンピュータ。）によって広告提供サイト１２ａ〜１２ｃの閲覧と広告主電話器７への架電との両方を行うことができる。
【０１０２】
例えば、携帯電話機の画面に広告提供サイト１２ａ〜１２ｃや広告主サイト３ａが表示されてそのサイト内に識別情報１１ａ〜１１ｃが掲載されている場合には、その識別情報１１ａ〜１１ｃをハイライト表示させた上で選択すると、携帯電話機のＰｈｏｎｅ  ｔｏ機能によってその識別情報１１ａ〜１１ｃが指標する電話番号に架電を行うことができる。
【０１０３】
同様に、ＩＰフォン機能付きコンピュータの画面に広告提供サイト１２ａ〜１２ｃや広告主サイト３ａが表示されてそのサイト内に識別情報１１ａ〜１１ｃが掲載されている場合には、その識別情報１１ａ〜１１ｃを選択（クリック）すると、ＩＰフォン機能によってその識別情報１１ａ〜１１ｃが指標する電話番号に架電を行うことができる。
【図面の簡単な説明】
【０１０４】
【図１】本発明の実施の形態１に係る広告情報管理方法を用いた広告情報管理システムの全体構成を示す概略構成図である。
【図２】図１に示す事業者サーバ内部に構築された広告提供サーバ管理データベースの構成図である。
【図３】図１に示す広告提供サイトのウェブページの表示画面例である。
【図４】広告提供サイトに識別情報をバルーン表示する方法を説明する図であって、（ａ）はマウスポインタがバナー画像上になく識別情報がバルーン表示されていない状態を示し、（ｂ）はマウスポインタがバナー画像上にあり識別情報がバルーン表示されている状態を示す。
【図５】広告提供サイトで識別情報を別ウィンドウ表示する方法を説明する図であって、（ａ）はバナー画像をクリックする前であって識別情報が表示されていない状態を示し、（ｂ）はバナー画像をクリックして識別情報が別ウィンドウ表示された状態を示す。
【図６】広告提供サイトで識別情報を提供する他の例を説明する図であって、バナー画像内にＱＲコードが表示された状態を示す図である。
【図７】図１に示す広告情報管理サーバ内に構築された識別情報データベースの構成図である。
【図８】図１に示す広告情報管理システムの動作を説明するフローチャートである。
【図９】本発明の実施の形態２に係る広告情報管理方法を用いた広告情報管理システムの全体構成を示す概略構成図である。
【図１０】本発明の実施の形態３に係る広告情報管理方法を用いた広告情報管理システムの全体構成を示す概略構成図である。
【符号の説明】
【０１０５】
Ａ：広告主
Ｍ：マウスポインタ
Ｓ，Ｓ’，Ｓ’’：広告情報管理システム
Ｔ：電話回線網
Ｕ：利用者
Ｗ：インターネット
１：広告情報管理サーバ（広告情報管理システムの主要部）
１ａ：識別情報データベース
２：架電受付サーバ（架電受付システム）
３：広告主サーバ
３ａ：広告主サイト（第２のインターネットサイト）
４：事業者サーバ
４ａ：広告提供サーバ管理データベース
５ａ〜５ｃ：広告提供サーバ
６：利用者コンピュータ
７：広告主電話器
８：利用者電話器
９ａ〜９ｃ：広告画像（広告情報）
９’：広告情報
１０：バナー画像（基本広告情報）
１１ａ〜１１ｃ：識別情報
１２ａ〜１２ｃ：広告提供サイト（第１のインターネットサイト）
１３ａ：広告掲載枠
１４ａ〜１４ｃ：割当て番号
１５ａ〜１５ｃ：情報記録部
１６：入力情報
１７ａ：ＱＲコード（２次元バーコード）
２１，２１’：スクリプト（指標情報）
【図１】
2008140000.tif 000003
【図２】
2008140000.tif 000004
【図３】
2008140000.tif 000005
【図４】
2008140000.tif 000006
【図５】
2008140000.tif 000007
【図６】
2008140000.tif 000008
【図７】
2008140000.tif 000009
【図８】
2008140000.tif 000010
【図９】
2008140000.tif 000011
【図１０】
2008140000.tif 000012
【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
広告情報に基づき行われた架電が複数の広告情報のうちいずれの広告情報に基づき行われたかを判断するための広告情報管理システムにおいて用いられる広告情報管理方法であって、
複数の識別情報を生成するステップと、
基本広告情報に対して前記複数の識別情報を各々合成して該複数の識別情報を各々指標する複数の広告情報を生成するステップと、
前記複数の広告情報のうち、１つの広告情報に基づいて行われた架電中の入力情報と前記複数の識別情報とを照合するステップと、を有する広告情報管理方法。
【請求項２】
基本広告情報に対して前記複数の識別情報を各々合成して複数の第１のインターネットサイトに掲載可能な前記複数の広告情報を生成するステップと、
前記架電を受け付けるステップと、
該架電中の前記入力情報を抽出するステップと、
該入力情報と前記識別情報とが符合した場合にその識別情報を指標する広告情報に基づき前記架電が行われたと判断するステップと、
を更に有する請求項１に記載の広告情報管理方法。
【請求項３】
前記複数の識別情報を指標する複数の指標情報を基本広告情報に対して合成して複数の第１インターネットサイトに掲載可能な前記複数の広告情報を生成するステップと、
前記架電を受け付けるステップと、
該架電中の前記入力情報を抽出するステップと、
該入力情報と前記識別情報とが符合した場合にその識別情報を指標する広告情報に基づき前記架電が行われたと判断するステップと、を更に有する請求項１に記載の広告情報管理方法。
【請求項４】
第２のインターネットサイトをリンクする複数の基本広告情報を複数の第１のインターネットサイトに掲載するステップと、
該第１のインターネットサイト上の前記基本広告情報が選択された場合に、該第１のインターネットサイトに関連付けて前記第２のインターネットサイトに前記広告情報を掲載するステップと、
前記架電を受け付けるステップと、
該架電中の前記入力情報を抽出するステップと、
該入力情報と前記識別情報とが符合した場合にその識別情報を指標する広告情報に基づき前記架電が行われたと判断するステップと、を更に有する請求項１に記載の広告情報管理方法。
【請求項５】
広告情報に基づき行われた架電が複数の広告情報のうちいずれの広告情報に基づき行われたかを判断するための広告情報管理システムであって、
複数の識別情報を生成する識別情報生成部と、
基本広告情報に対して前記複数の識別情報が各々合成されて該複数の識別情報を各々指標するように生成された複数の広告情報のうち、１つの広告情報に基づいて行われた架電中の入力情報と前記複数の識別情報とを照合する情報照合部と、を有する広告情報管理システム。
【請求項６】
広告情報に基づき行われた架電が複数の広告情報のうちいずれの広告情報に基づき行われたかを判断する広告情報管理システムにおいて用いられる架電受付方法であって、
基本広告情報に対して複数の識別情報を各々合成して該複数の識別情報を各々指標する複数の広告情報を生成するステップと、
前記複数の広告情報のうち、１つの広告情報に基づいて行われた架電を受け付けるステップと、
該架電中の入力情報を前記複数の識別情報と照合するために外部に向けて送出するステップと、を有する架電受付方法。
【請求項７】
広告情報に基づき行われた架電が複数の広告情報のうちいずれの広告情報に基づき行われたかの判断のために、該架電を受け付ける架電受付システムであって、
複数の識別情報を生成する識別情報生成部と、
基本広告情報に対して前記複数の識別情報が各々合成されて該複数の識別情報を指標するように生成された複数の広告情報のうち、１つの広告情報に基づいて行われた架電を受け付ける架電受付部と、
該架電中の入力情報を前記複数の識別情報と照合するために外部に向けて送出する情報送出部と、を有する架電受付システム。
【国際調査報告】
2008140000.tif 000013
2008140000.tif 000014
2008140000.tif 000015
2008140000.tif 000016